(57)【要約】【課題】音響装置が利用者の耳に近接しているか否かを適切に判定して、音量の制御を行う。【解決手段】加速度検出部１０６は、音響装置の加速度を検出する。近接判定部１０７は、検出した加速度が所定の閾値以上となった後にスピーカが設けられている音響装置の面に近接する物があるか否かを判定することで、音響装置が利用者の耳に近接しているか否かを判定する。音量決定部１０５は、音響装置と利用者の耳との近接を判定した場合に、スピーカが出力する音量を変更するか否かを決定する。【選択図】図２
2013021432.tif 000002
【特許請求の範囲】
【請求項１】
音声を出力する発音部と、
自装置の状態を検出する状態検出部と、
前記状態検出部が所定の状態を検出した後に前記発音部が設けられている面に近接する物があるか否かを判定することで、自装置が利用者の耳に近接しているか否かを判定する近接判定部と、
前記近接判定部が利用者の耳との近接を判定した場合に、前記発音部が出力する音量を変更するか否かを決定する音量決定部と
を備えることを特徴とする音響装置。
【請求項２】
前記音量決定部は、前記近接判定部が利用者の耳との近接を判定した場合に、現在発音部が出力している音量と、前記発音部が耳に近接しているときに出力する音量として予め定められたイヤーセーフ音量とを比較し、現在発音部が出力している音量より前記イヤーセーフ音量のほうが小さいときに、前記発音部が発音する音量を前記イヤーセーフ音量に決定する
ことを特徴とする請求項１に記載の音響装置。
【請求項３】
前記近接判定部は、前記発音部が設けられている面の複数箇所において近接する物の距離を測定し、前記測定した距離の散布度が所定の閾値より小さい場合に、自装置が利用者の耳に近接していると判定する
ことを特徴とする請求項１または請求項２に記載の音響装置。
【請求項４】
前記状態検出部は、自装置の加速度を検出し、
近接判定部は、前記状態検出部が検出した加速度が所定の閾値以上となった後に前記発音部が設けられている面に近接する物があるか否かを判定することで、自装置が利用者の耳に近接しているか否かを判定する
ことを特徴とする請求項１から請求項３の何れか１項に記載の音響装置。
【請求項５】
前記状態検出部は、自装置の周囲の音声を検出し、
近接判定部は、前記状態検出部が検出した音声の音量が所定の閾値以上となった後に前記発音部が設けられている面に近接する物があるか否かを判定することで、自装置が利用者の耳に近接しているか否かを判定する
ことを特徴とする請求項１から請求項３の何れか１項に記載の音響装置。
【請求項６】
音響装置の発音部が発する音声の音量を制御する音量制御方法であって、
前記音響装置の状態を検出するステップと、
前記ステップにおいて所定の状態を検出した後に前記発音部が設けられている前記音響装置の面に近接する物があるか否かを判定することで、前記音響装置が利用者の耳に近接しているか否かを判定するステップと、
前記音響装置と利用者の耳との近接を判定した場合に、前記発音部が出力する音量を変更するか否かを決定するステップと
を有することを特徴とする音量制御方法。
【請求項７】
音声を出力する発音部を備える音響装置を、
自装置の状態を検出する状態検出部、
前記状態検出部が所定の状態を検出した後に前記発音部が設けられている面に近接する物があるか否かを判定することで、自装置が利用者の耳に近接しているか否かを判定する近接判定部、
前記近接判定部が利用者の耳との近接を判定した場合に、前記発音部が出力する音量を変更するか否かを決定する音量決定部
として動作させるためのプログラム。
【発明の詳細な説明】
【技術分野】
【０００１】
本発明は、音声を出力する音響装置、当該音響装置の音量制御方法、及びプログラムに関する。
【背景技術】
【０００２】
近年、携帯電話機やＰＨＳ（Ｐｅｒｓｏｎａｌ  Ｈａｎｄｙｐｈｏｎｅ  Ｓｙｓｔｅｍ）等の携帯通信端末の小型化が求められており、携帯通信端末の筐体内に余計な機構を設けたくないという要望がある。そこで、受話音声を出力するスピーカと着信音等を出力するスピーカを兼用とし、筐体内に設けるスピーカの数を減らすという方法が考案されている。
【０００３】
しかしながら、受話音声用のスピーカと着信音用のスピーカとを兼用させた場合、携帯通信端末が利用者の耳に近づいている状態（以下、この状態のことを通話ポジションと呼ぶ）にあるときにスピーカから大音量が出力され、利用者を驚かせてしまうおそれがある。
【０００４】
そこで、特許文献１には、利用者が通話ポジションで携帯電話機を保持し、伝言メッセージを聞いているときに着信があった場合、バイブレータを震動させ、利用者が携帯電話機を耳元から離すことを促す方法が開示されている。
【０００５】
また、特許文献２には、着信時に折り畳み筐体が開状態にある場合に、小さい音量で着信の通知を出力する方法が開示されている。
【先行技術文献】
【特許文献】
【０００６】
【特許文献１】特開２００６−２４５７９９号公報
【特許文献２】特開２００６−０４２０７７号公報
【発明の概要】
【発明が解決しようとする課題】
【０００７】
しかしながら、特許文献１によれば、近接センサによって携帯通信端末が通話ポジションにあるか否かを判定するため、携帯通信端末がポケットに入っている場合など、通話ポジションにない状態であってもバイブレータが震動する可能性がある。また、特許文献１によれば、バイブレータの震動により通知をした後は、例え携帯通信端末が通話ポジションにあったとしても着信の通知が出力されてしまうという問題がある。
【０００８】
また、特許文献２の方法は、折り畳み式以外の携帯通信端末に適用することができず、また折り畳み筐体が開状態で机上に報知されている場合などにも、着信の通知が小さい音量でなされてしまうという問題がある。
【０００９】
本発明は、上記の問題に鑑みてなされたものであり、自装置が利用者の耳に近接しているか否かを適切に判定して、音量の制御を行う音響装置、音量制御方法、及びプログラムを提供することを課題とする。
【課題を解決するための手段】
【００１０】
本発明は上記の課題を解決するためになされたものであり、音声を出力する発音部と、自装置の状態を検出する状態検出部と、前記状態検出部が所定の状態を検出した後に前記発音部が設けられている面に近接する物があるか否かを判定することで、自装置が利用者の耳に近接しているか否かを判定する近接判定部と、前記近接判定部が利用者の耳との近接を判定した場合に、前記発音部が出力する音量を変更するか否かを決定する音量決定部とを備えることを特徴とする。
【００１１】
また、本発明は、音響装置の発音部が発する音声の音量を制御する音量制御方法であって、前記音響装置の状態を検出するステップと、前記ステップにおいて所定の状態を検出した後に前記発音部が設けられている前記音響装置の面に近接する物があるか否かを判定することで、前記音響装置が利用者の耳に近接しているか否かを判定するステップと、前記音響装置と利用者の耳との近接を判定した場合に、前記発音部が出力する音量を変更するか否かを決定するステップとを有することを特徴とする。
【００１２】
また、本発明は、音声を出力する発音部を備える音響装置を、自装置の状態を検出する状態検出部、前記状態検出部が所定の状態を検出した後に前記発音部が設けられている面に近接する物があるか否かを判定することで、自装置が利用者の耳に近接しているか否かを判定する近接判定部、前記近接判定部が利用者の耳との近接を判定した場合に、前記発音部が出力する音量を変更するか否かを決定する音量決定部として動作させるためのプログラムである。
【発明の効果】
【００１３】
本発明によれば、音響装置は、自装置が利用者の耳に近接しているか否かを適切に判定して、音量の制御を行うことができる。
【図面の簡単な説明】
【００１４】
【図１】本発明の一実施形態による携帯通信端末の外観図である。
【図２】携帯通信端末の構成を示す概略ブロック図である。
【図３】携帯通信端末が通話ポジションにあると判定される例を示す図である。
【図４】携帯通信端末において通話ポジションであるか否かを判定する動作を示すフローチャートである。
【図５】本発明による通信装置の基本構成を示す概略ブロック図である。
【発明を実施するための形態】
【００１５】
以下、図面を参照しながら本発明の実施形態について詳しく説明する。
図１は、本発明の一実施形態による携帯通信端末１の外観図である。
携帯通信端末１（音響装置）は、スピーカ１１（発音部）、ディスプレイ１２、ボタン１３、マイク１４、２つの近接センサ１５、加速度センサ１６を備える。
【００１６】
スピーカ１１は、音声通話における受信音声及び着信を通知する着信音を出力する。
近接センサ１５は、発光素子と受光素子とによって構成され、発光素子が出力した光の反射光を受光素子が受光し、当該反射光の光強度をセンサ値として出力する。つまり光強度が高いほど近くに物が存在することを示す。また、近接センサ１５は、スピーカ１１の近傍とマイク１４の近傍のそれぞれに設けられる。つまり、近接センサ１５は、それぞれスピーカ１１が設けられている携帯通信端末１の面に対する近接物を検知する。
加速度センサ１６は、携帯通信端末１の加速度を検知する。なお、重力加速度の影響を無くすためにハイパスフィルタを介して加速度センサ１６が出力するセンサ値を取得することが好ましい。
【００１７】
図２は、携帯通信端末１の構成を示す概略ブロック図である。
携帯通信端末１は、通信部１０１、発音制御部１０２、音量設定部１０３、音量記憶部１０４、音量決定部１０５、加速度検出部１０６、近接判定部１０７、計時部１０８を備える。
【００１８】
通信部１０１は、他の通信端末から呼を受信し、また当該通信端末と音声通信を行う。
発音制御部１０２は、通信部１０１が呼を受信した場合に、音量決定部１０５が決定した音量でスピーカ１１から着信音を出力し、通信部１０１が音声通信を行っている場合に音量決定部１０５が決定した音量でスピーカ１１から受信音声を出力する。
【００１９】
音量設定部１０３は、利用者から発音制御部１０２による出力音量の入力を受け付け、音量決定部１０５に出力する。また、音量設定部１０３は、利用者から通話ポジション時の出力音量であるイヤーセーフ音量の入力を受け付け、音量記憶部１０４に記録する。
音量記憶部１０４は、通話ポジション時の出力音量であるイヤーセーフ音量を記憶する。
音量決定部１０５は、音量記憶部１０４が記憶するイヤーセーフ音量、音量設定部１０３が入力を受け付けた出力音量、及び近接判定部１０７による判定結果に基づいて、発音制御部１０２が出力する音量を決定する。
【００２０】
加速度検出部１０６は、加速度センサ１６から携帯通信端末１の加速度を取得し、加速度が所定の閾値を超えたか否かを判定する。
計時部１０８は、加速度検出部１０６によって加速度が所定の閾値を超えたと判定された時刻からの経過時間を計時する。
近接判定部１０７は、加速度検出部１０６によって加速度が所定の閾値を超えたと判定された時刻から所定時間経過した後の近接センサ１５のセンサ値に基づいて、自装置が利用者の耳に近接しているか否かを判定する。
【００２１】
次に、本実施形態において携帯通信端末１が通話ポジションにあると判定される場面について説明する。
図３は、携帯通信端末１が通話ポジションにあると判定される例を示す図である。
通常、携帯通信端末１が着呼した場合、利用者は携帯通信端末１を持ち上げ、携帯通信端末１を通話ポジションに移動させて通話を開始する。携帯通信端末１が通話ポジションに移動すると、携帯通信端末１と利用者とが近接することとなる。そのため、携帯通信端末１に近接するものを検知したときに通話ポジションにあると判定することが考えられる。
【００２２】
しかし、この場合、携帯通信端末１がポケットに入っている場合など利用者以外のものに近接している場合にも通話ポジションにあると判定されてしまうおそれがある。そこで、利用者が携帯通信端末１を通話ポジションまで持ち上げるときに携帯通信端末１に生じる加速度を用いて、加速度が生じた後に近接するものを検知したときに、携帯通信端末１が通話ポジションにあると判定することで、誤検知を防止することができる。
【００２３】
次に、携帯通信端末１の動作について説明する。携帯通信端末１は、通話ポジションであるか否かの判定を繰り返し実行することで、スピーカ１１から出力すべき音量を都度決定する。
図４は、携帯通信端末１において通話ポジションであるか否かを判定する動作を示すフローチャートである。
まず、近接判定部１０７は、２つの近接センサ１５が共に近接状態を示し、かつそれぞれのセンサ値の差が所定の閾値以下であるか否かを判定する（ステップＳ１）。近接判定部１０７が、２つの近接センサ１５のいずれかが近接状態を示さず、またはそれぞれのセンサ値の差が所定の閾値より大きいと判定した場合（ステップＳ１：ＮＯ）、加速度検出部１０６は、加速度センサ１６からセンサ値を取得することで、携帯通信端末１にかかる加速度を検出する。なお、加速度検出部１０６が取得するセンサ値は、ハイパスフィルタなどにより重力加速度の影響を除去したものであることが好ましい。
【００２４】
次に、加速度検出部１０６は、検出した加速度が所定の閾値以上であるか否かを判定する（ステップＳ２）。ここで、所定の閾値とは、利用者の歩行などによって生じる加速度より大きく、利用者が携帯通信端末１を通話ポジションへ移動させる際に生じる加速度より小さいことが好ましい。
【００２５】
加速度検出部１０６が、検出した加速度が所定の閾値未満であると判定した場合（ステップＳ２：ＮＯ）、近接判定部１０７は、利用者によって携帯通信端末１が持ち上げられていないため、通話ポジションでないと判定する（ステップＳ３）。そしてステップＳ１に戻ることで、通話ポジションであるか否かの判定を繰り返し実行する。
【００２６】
他方、加速度検出部１０６が、検出した加速度が所定の閾値以上であると判定した場合（ステップＳ２：ＹＥＳ）、計時部１０８は、加速度が所定の閾値以上となった時刻からの経過時間の計時を開始する（ステップＳ４）。次に、近接判定部１０７は、計時部１０８が計時する経過時間が所定の時間に達したか否かの判定を行う（ステップＳ５）。近接判定部１０７は、計時部１０８が計時する経過時間が所定の時間に達していないと判定した場合（ステップＳ５：ＮＯ）、所定の時間に達するまでステップＳ５の処理を繰り返す。
【００２７】
他方、近接判定部１０７は、計時部１０８が計時する経過時間が所定の時間に達したと判定した場合（ステップＳ５：ＹＥＳ）、２つの近接センサ１５が共に近接状態を示し、かつそれぞれのセンサ値の差が所定の閾値以下であるか否かを判定する（ステップＳ６）。近接判定部１０７が、２つの近接センサ１５のいずれかが近接状態を示さず、またはそれぞれのセンサ値の差が所定の閾値より大きいと判定した場合（ステップＳ６：ＮＯ）、携帯通信端末１が通話ポジションでないと判定する（ステップＳ３）。そしてステップＳ１に戻ることで、通話ポジションであるか否かの判定を繰り返し実行する。
【００２８】
他方、近接判定部１０７は、２つの近接センサ１５が共に近接状態を示し、かつそれぞれのセンサ値の差が所定の閾値以下であると判定した場合（ステップＳ６：ＹＥＳ）、携帯通信端末１が通話ポジションであると判定する（ステップＳ７）。そしてステップＳ１に戻ることで、通話ポジションであるか否かの判定を繰り返し実行する。
【００２９】
また、ステップＳ１で近接判定部１０７が、２つの近接センサ１５がともに近接状態を示し、かつそれぞれのセンサ値の差が所定の閾値以下であると判定した場合（ステップＳ１：ＹＥＳ）、近接判定部１０７は、前回の判定結果が通話ポジションであると判定するものであったか否かを判定する（ステップＳ８）。
【００３０】
前回の判定結果が通話ポジションであると判定するものであった場合（ステップＳ８：ＹＥＳ）、近接判定部１０７は、携帯通信端末１が通話ポジションであると判定する（ステップＳ７）。他方、前回の判定結果が通話ポジションでないと判定するものであった場合（ステップＳ８：ＮＯ）、近接判定部１０７は、携帯通信端末１が通話ポジションでないと判定する（ステップＳ３）。
【００３１】
上述した処理により、携帯通信端末１は、通話ポジションであるか否かの判定を繰り返し実行する。次に、携帯通信端末１が通話ポジションであるか否かの判定結果に基づいてスピーカ１１から出力する音声の音量を制御する動作について説明する。
音量決定部１０５は、近接判定部１０７の判定結果が通話ポジションでないと判定するものであった場合、音量設定部１０３によって設定された音量を、発音制御部１０２に発音させる音声の音量に決定する。他方、音量決定部１０５は、近接判定部１０７の判定結果が通話ポジションであると判定するものであったと判定した場合、音量記憶部１０４が記憶するイヤーセーフ音量と、音量設定部１０３によって設定された音量のうち、音量が低いほうを、発音制御部１０２に発音させる音声の音量に決定する。
【００３２】
このように、本実施形態によれば、近接判定部１０７は、加速度検出部１０６が検出した加速度が所定の閾値以上となった後にスピーカ１１が設けられている面に近接する物があるか否かを判定することで、自装置が利用者の耳に近接しているか否かを判定する。これにより、携帯通信端末１は、自装置が利用者の耳に近接しているか否かを適切に判定して、音量の制御を行うことができる。
【００３３】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、上述した実施形態では、無線通信端末１が加速度検出部１０６を備え、当該加速度検出部１０６が検出した加速度が所定の閾値を超えた後に近接が検出された場合に、近接判定部が通話ポジションであると判定する場合を説明したが、これに限られない。例えば、加速度検出部１０６に代えてマイク１４が取得する音声の音量を検出する音量検出部を備えるようにしても良い。そして、近接判定部１０７が、音量検出部が検出した音声の音量が所定の閾値以上となった後にスピーカ１１が設けられている面に近接する物があるか否かを判定することで、自装置が利用者の耳に近接しているか否かを判定することで、上述した実施形態と同様の効果を得ることができる。
【００３４】
図５は、本発明による音響装置の基本構成を示す概略ブロック図である。
また、上述した実施形態では、本発明による音響装置を携帯通信端末１に実装し、携帯通信端末１が図１に示すハードウェア構成を備え、かつ図２に示すソフトウェア構成を備える場合について説明したが、本発明による音響装置の基本構成は、図５に示すとおりである。
すなわち、本発明による通信装置は、発音部、状態検出部、近接判定部１０７、音量決定部１０５を基本構成とする。なお、上述した実施形態のスピーカ１１は発音部と等価であり、加速度検出部１０６は、状態検出部と等価である。
【００３５】
発音部は、オーディオファイルの再生による音声、アラーム音、着信音、受話音声などの音声を出力する。
状態検出部は、音響装置の状態を検出する。状態の例としては、音響装置の加速度の大きさや、音響装置の周囲の音声の音量などが挙げられる。
近接判定部１０７は、検出した加速度が所定の閾値以上となった後に発音部が設けられている音響装置の面に近接する物があるか否かを判定することで、音響装置が利用者の耳に近接しているか否かを判定する。
音量決定部１０５は、音響装置と利用者の耳との近接を判定した場合に、発音部が出力する音量を変更するか否かを決定する。
これにより、音響装置は、自装置が利用者の耳に近接しているか否かを適切に判定して、音量の制御を行うことができる。
【００３６】
上述の携帯通信端末１は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３８】
１…携帯通信端末  １１…スピーカ  １２…ディスプレイ  １３…ボタン  １４…マイク  １５…近接センサ  １６…加速度センサ  １０１…通信部  １０２…発音制御部  １０３…音量設定部  １０４…音量記憶部  １０５…音量決定部  １０６…加速度検出部  １０７…近接判定部  １０８…計時部
【図１】
2013021432.tif 000003
【図２】
2013021432.tif 000004
【図３】
2013021432.tif 000005
【図４】
2013021432.tif 000006
【図５】
2013021432.tif 000007